(57)【特許請求の範囲】
【請求項１】
上面が開口するケースと、前記ケースの上面側を覆うように取り付けられるカバーと、
を有する回路遮断器の主電路に介装される過電流リレー部の固定構造であって、
前記過電流リレー部は、支持部材を有し、
前記ケースは、前記支持部材の下端を受ける取付部を有する側壁部を備え、
前記カバーは、前記ケースの前記側壁部に対応する位置に突出する突当部を備え、
前記ケースの前記取付部に前記支持部材を当接し、かつ前記カバーの前記突当部が前記支持部材の上端に当接することにより、前記支持部材を挟み込んで一体固定し、
前記支持部材は、背面部と左側部と右側部とを有し、
前記ケースの前記取付部は、前記支持部材の前記左側部及び前記右側部の下端を受ける位置に形成されており、
前記カバーの前記突当部は、前記支持部材の前記左側部と前記右側部とに対応する位置に対向して形成されており、
前記支持部材は、前記左側部及び前記右側部の少なくとも一方に、下端側及び外側に向けて開く爪部を備え、
前記ケースの前記側壁部は、前記爪部に対応する位置に溝部を備える
ことを特徴とする固定構造。
【発明の詳細な説明】
【技術分野】
【０００１】
本発明は、回路遮断器における過電流リレー部の固定構造に関する。
【背景技術】
【０００２】
従来、回路遮断器等の過電流リレー部の構造として、例えば特開２００２−３４３２２１号公報（特許文献１）に記載されたものが知られている。
図４は、特許文献１に記載された回路遮断器と同タイプの回路遮断器の内部構造を示す断面側面図である。
【０００３】
図４に示す回路遮断器１において、ケース２及びカバー３で構成される筐体の内部には、固定接点台４と、可動接点台５と、過電流リレー部６と、端子７と、が取り付けられ、これらの部品を電気的に接続することにより、電路が形成されている。
可動接点台５と端子７との間に配置される過電流リレー部６は、固定側の電磁石６ａと、該固定側の電磁石６ａに取り付けられたバイメタル６ｂと、上記固定側の電磁石６ａに対して間隔が相対的に移動可能に固定された可動側の電磁石６ｃと、を有している。
このような過電流リレー部６は、上記可動接点台５と端子７との間をそれぞれリード線で接続された状態で、回路遮断器１のケース２の内側の底部にボルト等で固定されている。
【先行技術文献】
【特許文献】
【０００４】
【特許文献１】特開２００２−３４３２２１号公報
【発明の概要】
【発明が解決しようとする課題】
【０００５】
図４に示す過電流リレー部６の固定構造では、過電流リレー部６の全体を固定側の電磁石６ａの端部においてボルト等で固定しているため、いわゆる片持ち梁のような構造となり、可動側の電磁石６ｃが駆動する際に振動が生じて他の部品と接触し、異音を発することがあった。
また、固定側の電磁石６ａをボルト等の締結手段で固定しているため、ボルト等の追加の部品や締結に係る工数が必要となる。
そこで、本発明は、ボルト等の締結手段を用いることなく、簡単な構成によって過電流リレー部を回路遮断器内に固定する構造を提供する。
【課題を解決するための手段】
【０００６】
上記課題を解決するための構成として、本発明の過電流リレー部の固定構造は、上面が開口するケースと、前記ケースの上面側を覆うように取り付けられるカバーと、を有する回路遮断器の主電路に介装されるものであって、前記過電流リレー部は、支持部材を有し、
前記ケースは、前記支持部材の下端を受ける取付部を有する側壁部を備え、前記カバーは、前記ケースの前記側壁部に対応する位置に突出する突当部を備え、前記ケースの前記取付部に前記支持部材を当接し、かつ前記カバーの前記突当部が前記支持部材の上端に当接することにより、前記支持部材を挟み込んで一体固定し、
前記支持部材は、背面部と左側部と右側部とを有し、
前記ケースの前記取付部は、前記支持部材の前記左側部及び前記右側部の下端を受ける位置に形成されており、
前記カバーの前記突当部は、前記支持部材の前記左側部と前記右側部とに対応する位置に対向して形成されており、
前記支持部材は、前記左側部及び前記右側部の少なくとも一方に、下端側及び外側に向けて開く爪部を備え、
前記ケースの前記側壁部は、前記爪部に対応する位置に溝部を備えることを特徴とする。
【発明の効果】
【０００７】
本発明によれば、ボルト等の締結手段を用いることなく、簡単な構成によって過電流リレー部を回路遮断器内に固定する構造を提供することができる。
また、本発明の過電流リレー部の固定構造は、支持部をカバー及びケースに挟み込んで固定するため、駆動時に部品どうしが接触して異音が発生するのを抑制できる。
【図面の簡単な説明】
【０００８】
【図１】本発明による回路遮断器の内部構造を示す断面側面図であり、図１（ａ）はカバーを取り付けた状態を示し、図１（ｂ）はカバーを取り外した状態を示す。
【図２】図１に示す過電流リレー部に含まれる支持部材の詳細を示す斜視図である。
【図３】本発明による回路遮断器における過電流リレー部の固定構造の概要を示す断面斜視図である。
【図４】従来型の回路遮断器の内部構造を示す断面側面図である。
【発明を実施するための形態】
【０００９】
以下、本発明の実施例を図面とともに説明する。なお、本発明の回路遮断器における電路の基本的な構成部品は、従来の例えば図４に示すものと同一であるため説明を省略し、本発明の特徴的な構成のみを図面を用いて説明する。
【００１０】
図１は、本発明による回路遮断器の内部構造を示す断面側面図である。なお、図１（ａ）はカバーを取り付けた状態を示し、図１（ｂ）はカバーを取り外した状態を示している。
図１に示すとおり、本発明による回路遮断器１０は、上面が開口するケース２０と、このケース２０を覆うように取り付けられるカバー３０との間に、過電流リレー部４０を挟み込む態様で一体化されている。
【００１１】
過電流リレー部４０は、基部となりケース２０とカバー３０との間に直接挟み込まれる支持部材４１と、該支持部材４１に結合されたバイメタル４２と、このバイメタル４２を囲むように支持部材４１に取り付けられる固定コア４３と、上記支持部材４１に枢支軸が取り付けられて固定コア４３に対する端部の位置が接近離反するように回動自在に設けられた可動コア４４と、を備えている。
過電流リレー部４０の支持部材４１は、ケース２０の底部から突出する側壁部２１とカバー３０の天井部から上記側壁部２１に対応する位置に突出する突当部３１との間に、それぞれ当接するように挟み込まれて固定されている。
【００１２】
図２は、過電流リレー部４０に含まれる支持部材４１の詳細を示す斜視図である。
図２に示すとおり、支持部材４１は、図１に示すバイメタル４２が結合される背面部４１ａと、該背面部４１ａに略直交して対向配置される左側部４１ｂ及び右側部４１ｃと、で構成されている。
左側部４１ｂ及び右側部４１ｃの上端面は、図１（ａ）に示すとおり、カバー３０の突当部３１の下端面に当接し、これらの下端面は、ケース２０の側壁部２１に当接するように形成される。このような位置関係により、支持部材４１は、ケース２０とカバー３０とに挟み込まれるように保持固定される。
【００１３】
支持部材４１の左側部４１ｂ及び右側部４１ｃは、その中間領域に下端側及び内側に向けて開く一対の凸部４１ｃを備える。この一対の凸部４１ｃは、支持部材４１に図１に示す固定コア４３を上側から差し込むように取り付けた場合に、当該固定コア４３の上端面と引っかかることで抜け止めとしての機能を有する。
また、支持部材４１の左側部４１ｂ及び右側部４１ｃは、下端側及び外側に向けて開く一対の爪部４１ｅを備える。この一対の爪部４１ｅは、ケース２０の側壁部２１に上側から差し込むように取り付けた場合に、後述する側壁部２１の溝部と協働して、左側部４１ｂ及び右側部４１ｃに沿う方向への位置決めを容易にする機能を有する。
ここで、図２において、上記した凸部４１ｃ及び４１ｅは、左側部４１ｂ及び右側部４１ｃの両方に一対で形成されるものを例示したが、上記凸部４１ｃの抜け止めの機能及び爪部４１ｅの位置決めの機能をそれぞれ満足するものであれば、左側部４１ｂ又は右側部４１ｃのいずれか一方のみに形成するものでもよい。
【００１４】
また、支持部材４１の左側部４１ｂ及び右側部４１ｃは、その中間領域に一対の貫通穴４１ｆを備える。この一対の貫通穴４１ｆは、図１に示す可動コア４４の枢支軸の両端を受ける位置に形成されており、当該可動コア４４が回動動作するように保持する機能を有する。
さらに、支持部材４１の右側部４１ｃには、上記可動コア４４の側面の一部を受けて当該可動コア４４の回動範囲を規制するための規制穴４１ｇが形成されている（図１参照）。ここで、図２において、規制穴４１ｇを右側部４１ｃにのみ形成するものを例示したが、左側部４１ｂのみに設けるもしくは両方に設けるように構成してもよい。
【００１５】
図３は、本発明による回路遮断器における過電流リレー部４０の固定構造の概要を示す断面斜視図である。
図３に示すとおり、一般の回路遮断器は三相交流の回路に適用されるため、本発明による回路遮断器１０は、図１に示した電路を３経路備えている。なお、図３において、３つの電路のうちの中央の電路については、本発明による固定構造の理解を助けるために、過電流リレー部４０の可動コア４４を取り外した場合を示している。
また、図３において、ケース２０は、底部から突出する２つの側壁部２１を備えており、同様にカバー３０は、上記２つの側壁部２１に対応する位置に２つの突当部３１を備えている。
これらの構成により、回路遮断器１０の過電流リレー部４０が取り付けられる領域には、ケース２０の２つの側壁部２１及び外周壁２２と、カバー３０の突当部３１及び外周壁３２とによって３つの分割領域が形成され、上記３つの過電流リレー部４０が隙間なく取り付けることが可能となる。
【００１６】
ケース２０の側壁部２１には、上記支持部材４１の左側部４１ｂ又は右側部４１ｃの下端部に当接する段差状の取付部２１ａが形成されている。この段差状の取付部２１ａは、支持部材４１の左側部４１ｂ又は右側部４１ｃの下端面と当接して、当該支持部材４１を下方向及び横方向に対して保持する機能を果たす。
そして、上記のとおり、ケース２０にカバー３０を取り付ける際に、カバー３０の突当部３１が支持部材４１の左側部４１ｂ又は右側部４１ｃの上端面と当接することにより、支持部材４１がケース２０の側壁部２１とカバー３０の突当部３１との間に挟み込まれるように保持され、結果として過電流リレー部４０がケース２０とカバー３０との間に固定構造を形成する。
このような固定構造とすることにより、支持部材４１が４つの支持面（左側部４１ｂの上下端面及び左側部４１ｃの上下端面）で支持されることとなり、過電流リレー部の一端を底部にボルト等で締結固定していた従来の固定構造に比べて、過電流リレー部の固定が強固かつ確実なものとなり、結果として可動コア４４の駆動時に生じる振動等により部品どうしが接触して異音が発生するのを抑制できる。
【００１７】
また、図３に示すように、過電流リレー部４０がケース２０及びカバー３０の外周壁に近接して取り付けられる場合、ケース２０の外周壁２２にも段差状の取付部２２ａを形成して支持部材４１の左側部４１ｂ又は右側部４１ｃの下端面と当接するように構成すれば、ケース２０の内部空間を最大限利用して回路遮断器自体の大きさをよりコンパクトにすることができる。
【００１８】
図３に示す具体例において、ケース２０の側壁部２１には、支持部材４１の爪部４１ｅを受ける溝部２１ｂが上下方向に沿って形成されている。
このような溝部２１ｂを設けることにより、上記のとおり、支持部材４１を上側から取り付けた場合に左側部４１ｂ又は右側部４１ｃに外側に向けて形成された爪部４１ｅが引っかかる構造となり、左側部４１ｂ及び右側部４１ｃに沿う方向への支持部材４１の位置決めを容易に行うことができる。なお、同様の溝部は、ケース２０の外周壁２２にも溝部２２ｂとして形成することが好ましい。
また、溝部２１ｂの幅は、支持部材４１の爪部４１ｅの幅とほぼ同一となるように形成するのが好ましい。このような形状により、支持部材４１の位置決めの精度が向上するとともに可動コア４４が回動した際に発生する振動を抑制することができる。
【００１９】
さらに、ケース２０は、側壁部２１又は底部に支持部材４１の背面部４１ａを支承して受ける受け部２１ｃを形成してもよい。
このような構成により、支持部材４１の支持面が４つから６つ（左側部４１ｂの上下端面及び左側部４１ｃの上下端面に加えて受け部２１ｃによる支承面）に増えることとなり、支持部材４１の位置決め及び支持固定がより強固となる。
【００２０】
なお、本発明は、上記した実施例に限定されるものではなく、様々な変形例が含まれる。
例えば、上記した実施例は、本発明を分かりやすく説明するために詳細に説明したものであり、必ずしも説明した全ての構成を備えるものに限定されるものではない。
また、ある実施例の構成の一部を他の実施例の構成に置き換えることが可能であり、ある実施例の構成に他の実施例の構成を加えることも可能である。
さらに、各実施例の構成の一部について、その他の構成の追加・削除・置換をすることが可能である。
【００２１】
例えば、上記した実施例において、カバー３０の突当部３１が支持部材４１の左側部４１ｂ又は右側部４１ｃの上端面に当接する状態のみを説明したが、この場合、突当部３１が図１又は図３に示す上端面の一部のみに当接するような形状でもよいし、上端面全体に当接する大きさのもの、あるいは上端面に複数の突当部３１で当接するような形状としてもよい。
また、突当部３１を支持部材４１の左側部４１ｂ又は右側部４１ｃの上端面だけでなく横方向の側面にも当接するような、いわゆるフォーク状の形状としてもよい。
これらの構成により、支持部材４１の位置決め及び支持固定をより強固なものとすることができる。
【００２２】
また、上記した実施例において、ケース２０の側壁部２１又は外周壁２２にそれぞれ段差状の取付部２１ａ又は２２ａを設ける場合を説明したが、上記のカバー３０の突当部３１の場合と同様に、取付部自体に支持部材４１の左側部４１ｂ又は右側部４１ｃの横方向の側面にも当接するような当接部分を形成することにより、取付部２１ａ又は２２ａに支持部材４１の左側部４１ｂ又は右側部４１ｃが嵌合するような形状で形成すれば、支持部材４１の位置決め及び支持固定をさらに強固なものとすることができる。
【００２３】
さらに、上述した実施例において、本発明の過電流リレー部の固定構造を回路遮断器に適用した例を示したが、本発明は、例えば、電磁接触器、電磁開閉器等の電気的に接点を形成するその他の電気機器や電子機器の接続部分にも適用が可能である。
【符号の説明】
【００２４】
１０  端子部構造
２０  ケース
２１  側壁部
２２  外周壁
３０  カバー
３１  突当部
４０  過電流リレー部
４１  支持部材
４１ａ  背面部
４１ｂ  左側部
４１ｃ  右側部
【図１】
0006279458.tif 000002
【図２】
0006279458.tif 000003
【図３】
0006279458.tif 000004
【図４】
0006279458.tif 000005